(57)【要約】      （修正有）【課題】封止用途のために使用される、複数のチャネルを有する電気コネクタハウジング部材を提供する。【解決手段】封止用途のための電気コネクタの前部ハウジング１００に関し、前部ハウジングは、ベースに接続されるように設計されると共に、電気コネクタの主ハウジング２００に少なくとも部分的に受容されるように構成され、前部ハウジングは、主ハウジングの対応するロックゾーン２１９，２２０に係合して、前部ハウジングを主ハウジングへロックするように構成される、少なくとも１個のロック手段１２０，１２１を備え、且つ前部ハウジングは、更に各々がベースへ繋がる電気コネクタを受容するように設計される複数のコンタクトソケット１０８，１０９，１１０を備える。更に主電気コネクタハウジング、電気コネクタ３００、ベース、及び電気コネクタアセンブリに関する。【選択図】図３
2015028936.tif 000002
【特許請求の範囲】
【請求項１】
電気コネクタ、特に封止用途用の電気コネクタの前部ハウジング（１００）であって、
前記前部ハウジング（１００）は、ベースに接続されるように設計され且つ前記電気コネクタの主ハウジングに少なくとも部分的に受容されるように構成され、
前記前部ハウジング（１００）は、前記前部ハウジング（１００）を前記主ハウジング（２００）にロックするように前記主ハウジング（２００）の対応するロックゾーン（２１９，２２０）に係合するように構成される少なくとも１個のロック手段（１２０，１２１）を備え、
前記前部ハウジング（１００）は、各々が前記ベースに接続されるべき導体を受容するように設計される複数のコンタクトソケット（１０８，１０９，１１０）を更に備え、
前記少なくとも１個のロック手段（１２０，１２１）は、前記複数のコンタクトソケット（１０８，１０９，１１０）のうちのコンタクトソケット（１０８，１０９，１１０）間に配置されることを特徴とする電気コネクタの前部ハウジング（１００）。
【請求項２】
前記ロック手段（１２０，１２１）は、前記複数のコンタクトソケット（１０８，１０９，１１０）を備える前記前部ハウジングのゾーン（１０６）に相対して突出することを特徴とする請求項１に記載の電気コネクタの前部ハウジング（１００）。
【請求項３】
前記複数のコンタクトソケット（１０８，１０９，１１０）の前記コンタクトソケット（１０８，１０９，１１０）は、コンタクトソケットの列（１１１，１１２，１１３，１１４，１１５）に配置され、前記少なくとも１個のロック手段（１２０，１２１）は、コンタクトソケットの列（１１１，１１２，１１３，１１４，１１５）間に配置される請求項１又は２に記載の電気コネクタの前部ハウジング（１００）。
【請求項４】
前記少なくとも１個のロック手段（１２０，１２１）は、コンタクトソケットの列（１１１，１１２，１１３，１１４，１１５）を分離する少なくとも１個の窪み（１２２，１２３）に配置されることを特徴とする請求項３に記載の電気コネクタの前部ハウジング（１００）。
【請求項５】
少なくとも１個のロック手段（１２１）は、ロック係止部（１２１）を備えるヘッド（１２４）を備え、更に前記ヘッド（１２４）を延長するステム（１２６）を備えるフックであることを特徴とする請求項１乃至４のいずれか一項に記載の電気コネクタの前部ハウジング（１００）。
【請求項６】
少なくとも一つのロック手段（１２０）は、２個のロック係止部（１２８，１２９）を備え、更に実質的に逆Ｕ字形状に前記ヘッド（１２７）を延長する２個のステム（１３０，１３１）を備える銛であることを特徴とする請求項１乃至５のいずれか一項に記載の電気コネクタの前部ハウジング（１００）。
【請求項７】
前記ステム（１２６，１３０，１３１）は前記少なくとも一つの窪み（１２２，１２３）の内側に延出することを特徴とする特に少なくとも請求項４との組合せにおける請求項５又は６に記載の電気コネクタの前部ハウジング（１００）。
【請求項８】
電気コネクタ、特に封止用途のための電気コネクタの主ハウジング（２００）であって、
前記主ハウジング（２００）は、電気コネクタの前部ハウジングを少なくとも部分的に受容するように構成され、
前記主ハウジング（２００）は、請求項１乃至７のいずれか一項に記載の前部ハウジング（１００）の対応するロック手段（１２０，１２１）を受容するように構成される少なくとも１個のロックゾーン（２１９，２２０）を備える電気コネクタの主ハウジング（２００）。
【請求項９】
更に、各々が前記前部ハウジング（１００）の各コンタクトソケット（１０８，１０９，１１０）に対応する複数の導体ガイドソケット（２０８，２０９，２１０）を備え、
前記少なくとも１個のロックゾーン（２１９，２２０）は、前記複数のガイドソケット（２０８，２０９，２１０）のガイドソケット（２０８，２０９，２１０）間に配置されることを特徴とする請求項８に記載の電気コネクタの主ハウジング（２００）。
【請求項１０】
前記少なくとも１個のロックゾーン（２１９，２２０）は、請求項６又は７に記載の前部ハウジング（１００）の前記少なくとも１個のロック手段（１２０，１２１）の対応するロック係止部（１２５，１２８，１２９）とロックを行う少なくとも１個のストップ（２２１，２２２，２２３）を備えることを特徴とする請求項８又は９に記載の電気コネクタの主ハウジング（２００）。
【請求項１１】
前記複数のガイドソケット（２０８，２０９，２１０）の前記ガイドソケット（２０８，２０９，２１０）は、ガイドソケットの列（２１１，２１２，２１３，２１４，２１５）、特に請求項３乃至７のいずれか一項に記載の前部ハウジングのコンタクトソケットの列（１１１，１１２，１１３，１１４，１１５）に対応して配置され、前記少なくとも１個のロックゾーン（２１９，２２０）は、ガイドソケットの列（２１１，２１２，２１３，２１４，２１５）間に配置されることを特徴とする請求項９又は１０に記載の電気コネクタの主ハウジング（２００）。
【請求項１２】
前記少なくとも１個のロックゾーン（２１９，２２０）は、ガイドソケットの列（２１１，２１２，２１３，２１４，２１５）を部分的に分離する窪み（２１９，２２０）を実質的に形成する請求項１１に記載の電気コネクタの主ハウジング（２００）。
【請求項１３】
複数の導体をベースに接続するように設計された、特に封止用途用の電気コネクタ（３００）であって、
前記電気コネクタ（３００）は、
請求項１乃至７のいずれか一項に記載の前部ハウジング（１００）と、
第１の側から後部ハウジング（４００）を及び前記第１の側とは反対側の第２の側から前記前部ハウジング（１００）を部分的に受容するように構成される、請求項８乃至１２のいずれか一項に記載の主ハウジング（２００）と
を備える電気コネクタ（３００）。
【請求項１４】
更に、複数の導体を前記電気コネクタ（３００）へ案内し且つ前記電気コネクタ（３００）をベースへロックするように構成されるカバー（６００）と、
前記複数の導体（３０４，３０５，３０６）を前記カバー（６００）から前記主ハウジング（２００）に向かって案内するように構成される後部ハウジング（４００）と、
前記主ハウジング（２００）の周辺に配置される少なくとも１個の後部シール（３０１）を備える請求項１３に記載の電気コネクタ（３００）。
【請求項１５】
請求項１３又は１４に記載の電気コネクタ（３００）に接続されるように構成されるベース（５００）であって、
前記ベース（５００）は、
特に電気コンタクトの列（５０９，５１０，５１１，５１２，５１３）に配置される複数の電気コンタクト（５０６，５０７，５０８）と、
前記電気コンタクト（５０６，５０７，５０８）間に配置され、特に電気コンタクトの列（５０９，５１０，５１１，５１２，５１３）間に配置され、前記電気コネクタ（３００）の前記前部ハウジング（１００）、特に請求項４乃至７のいずれか一項に記載の前部ハウジング（１００）の対応する窪み（１２２，１２３）に受容されるように構成される少なくとも１枚の保護壁（５１４）と
を備え、
前記少なくとも１枚の保護壁（５１４）は、前記壁（５１４）の長さに亘って、特に、電気コンタクトの前記列（５０９，５１０，５１１，５１２，５１３）に亘って不連続であり、それによって、前記壁（５１４）は、前記電気コネクタ（３００）の前記前部ハウジング（１００）の対応するロック手段（１２０，１２１）を部分的受容するのに適する少なくとも１個のスロットを有することを特徴とするベース（５００）。
【請求項１６】
電気コネクタアセンブリ（７００）であって、
請求項１３又は１４に記載の電気コネクタ（３００）と、
ベースの電気コネクタへ接続されるように設計される複数の導体（３０４，３０５，３０６）と、
請求項１５に記載のベース（５００）と
を備える電気コネクタアセンブリ（７００）。
【発明の詳細な説明】
【技術分野】
【０００１】
本発明は、電気コネクタに関し、特に前部ハウジングと主ハウジングを備え、前部ハウジングがベースに受容されるように構成される電気コネクタに関する。本発明は、特にコネクタとベースを接続解除する時にコネクタの前部ハウジングと主ハウジングとの間の保持の問題に関する。本発明は、更に電気コネクタの主ハウジング、ベース及び電気コネクタアセンブリに関する。
【背景技術】
【０００２】
従来の技術で既知であるように、１本以上の導体を相手ベースへ電気的に接続するように設計される電気コネクタハウジングは、一般的に、プラスチック技術を使用して製造される複数の部品を備えている。特に、多数のチャネルを備える電気コネクタの場合、コネクタハウジングのアセンブリを形成する種々の部品が複雑な成形金型、交差できる除去可能又は移動可能なスライド型を使用すること、並びに幾つかの成形方向を必要とし、従ってこれらの部品の成形が一層複雑にされることは公知である。
【０００３】
従って、特に多数のチャネルを備えるコネクタ用の、電気コネクタハウジングを形成するこれらの種々の部品の製造を単純化することのプラスチック技術における継続的な要請がある。
【０００４】
従来の技術において既知であるこのような電気コネクタは、一般的に主ハウジングとその主ハウジングに受容され且つ固定されるように構成される前部ハウジングを備え、前部ハウジングは、端子を備えるコネクタの部品であり、ベースに受容されるように構成される。更に、従来の技術において既知であるこのような電気コネクタは、後部ハウジングとカバーを備え、そのカバーは、コネクタアセンブリがベースへロックされることができるロックシステムを具備し、後部ハウジングにより、１個以上の電気コネクタがそのカバーから主ハウジングへ案内されることができる。
【０００５】
これらの種々の部材を成形するために存在する制約に加えて、コネクタをそのベースから接続解除する時に主ハウジングと前部ハウジングとの間での保持に関連する問題もある。実際には、主ハウジングと前部ハウジングとの間の保持力が十分でない場合、接続解除中に、前部ハウジングが前部ハウジングへ強固に接続されたままである代わりに、ベース内に収容されたままになる可能性がある。コネクタとそのベースが多数のチャネルを有する場合、保持の問題が一層大きくなる。
【０００６】
従って、従来の技術において、フックシステムの使用は既知であり、そのシステムによって、コネクタをベースから接続解除する時を含む、前部ハウジングが主ハウジングで保持されることが可能である。特に、従来の技術において、これら２個の部材を一緒にロックするために、これらの保持フックが前部ハウジングの周辺部に配置され且つ主ハウジングの周辺部の適切な開口に引っ掛かることは既知である。
【０００７】
しかしながら、特に、自動車産業における封止用途のための電気コネクタの場合、そのようなシステムは、主ハウジングの１個以上の周辺部に配置された１個以上のシールの存在によって不利であることが証明されており、そのシールは一般的に「インターフェース」又は「周辺」シールと呼ばれている。実際に、周辺シールの支持表面の成形部材は、前部ハウジングの取付けゾーンを成形する部材によって交差されることができ又は周辺シールの支持表面でさえ、継ぎ目線を接合部に発生し得る２個以上の部材によって成形されることができる。このように周辺シールの支持表面上に発生される痕跡、即ちバリは漏れのリスクを引き起こす。従って、従来の技術で既知であるこのようなコネクタハウジングのシールに対する劣化のリスクがある。
【０００８】
このように、前述のプラスチック技術に関連する成形上の制約に加えて、特にコネクタのシールを維持するように限られた空間における封止用途のために使用されることができる、複数のチャネルを有する電気コネクタハウジング部材を提供するための、特に自動車産業における要請がある。
【発明の概要】
【発明が解決しようとする課題】
【０００９】
従って、本発明の目的は、プラスチック技術及び自動車産業の両方で見られる前述の問題と要請を考慮して電気コネクタハウジングを提供することである。
【課題を解決するための手段】
【００１０】
本発明の一態様によれば、本目的は、電気コネクタ、特に封止用途のための電気コネクタの前部ハウジングであって、この前部ハウジングはベースに接続されるように構成されると共に前記電気コネクタの主ハウジングに少なくとも部分的受容されるように構成され、前記前部ハウジングは、前記前部ハウジングを前記主ハウジングにロックするように前記主ハウジングの対応するロックゾーンに係合するように構成される少なくとも１個のロック手段を備え、前記前部ハウジングは、更に各々が前記ベースへ接続される１個の導体を受容するように設計される複数のコンタクトソケットを備える当該前部ハウジングによって達成される。本発明のこの態様によれば、前記少なくとも１個のロック手段は前記複数のコンタクトソケットの内のコンタクトソケット間に配置されることができる。
【００１１】
本発明のこの態様に従う前部ハウジングのロック手段の構成によって、前記電気コネクタの前記主ハウジングの周辺に配置される前記周辺シールに対して良好な支持表面が提供されることができ、これは、特に自動車産業で見られる封止用途において従来の技術の既知のコネクタに比較して有利である。
【００１２】
本発明によって１個以上のロック、即ち保持手段の使用が可能となり、その手段の数と形状は、前記前部ハウジングと前記主ハウジングとの間の保持力に従って適応されることができる。このように、本発明のこの態様に従う前部ハウジングを備えるコネクタをその相手のベースから接続解除する時に、ベースに接続されるべきコネクタにあるチャネル、即ち導体や電気端子の数が多くなればなるほど、前部ハウジングを主ハウジング内に保持するための必要性がより大きくなる。接続されるべきチャネルの数が多くなればなる程、本発明のこの態様に従う前記前部ハウジングに含まれることができるロック手段の数がより多くなり、前記ロック手段のサイズも従来の技術の既知のコネクタに比較して主ハウジングでの保持を増すために適合されることができる。従って、本発明は、好都合に、従来の技術の既知のコネクタに比較して前部ハウジングと主ハウジングとの間での分離が防止されることができ、一方では周辺シールの支持表面、従ってそのシステムの不透水性を保持する。
【００１３】
更に、本発明のこの態様の非制限的変形例によれば、前記ロック手段が、前記複数のコンタクトソケットを備える前部ハウジングのゾーンに相対して突出できることが好ましい。このように、ロック手段は、実質的に前部ハウジングの主ハウジングへのアセンブリの方向へ続いて配置されることが有利であり、その方向は、コンタクトソケットが前部ハウジングと主ハウジングとの間の適切な保持を可能とするように配置されるゾーンに対して実質的に垂直であることができる。
複数のコンタクトソケットのコンタクトソケットは、コンタクトソケットの複数の列に配置されることができことが好ましく、その場合、前記少なくとも１個のロック手段がコンタクトソケットの列間に配置されるのが有利である。この配置は、特に前部ハウジングが多数のコンタクトソケットを備える場合に、この配置によって既に複雑であるプラスチック技術で使用される成形金型の保持手段の単純な統合が可能となるので、従来の技術の既知の前部ハウジングに比較して有利である。従って、本発明は、前部ハウジングの成形金型の設計を更に複雑にすることはない。
【００１４】
前記少なくとも１個のロック手段は、コンタクトソケットの列を分離する少なくとも１個の窪みに配置されることができることが有利である。これは、電気コネクタが接続されなければならないベースの電気コンタクトを保護するための壁を前部ハウジングが受容する窪みを備える場合に、従来の技術の既知のハウジングに比較して有利である。
【００１５】
少なくとも１個のロック手段は、ロック係止部を備えるヘッドを備え、前記ヘッドを延長するステムを更に備えるフックであることができることが有利である。
【００１６】
また、少なくとも１個のロック手段は、２個のロック係止部を備えるヘッドを備え、前記ヘッドを実質的に逆Ｕ形状に延長する２個のステムを更に備える銛であることができることが有利である。
【００１７】
本発明のこの態様に従うこれらの幾何学形状とロック手段の配置の組合せは、従来の技術で既知である前部ハウジングの成形金型に比較して成形金型の設計を単純にする利点を有する。実際に、本発明のこの態様に従う前部ハウジングのロック手段は、基本的に二つの主成形方向を使用して、追加のスライド型を使用することなく且つ成形中にスライド型同士間で交差や成形中での追加の移動なしで完全に得られることができる。
【００１８】
ステムが前記少なくとも１個の窪みの内側に延出できることは、有利である。従って、ロック手段、例えばフックやＵ形状の銛が前部ハウジングの少なくとも１個の窪みに収容されるベースのコンタクトを保護するために壁内に一体化されることができる。そのような設計によって、少なくとも部分的にフレキシブルであるロック手段のヘッドを得ることができ、前部ハウジングが主ハウジングに組み立てられると、このヘッドは、主ハウジングの対応するロックゾーンに留まるように偏向されることができる。銛内へ延出するロック手段のステムによってロック手段の構造が強化されることができる。
【００１９】
本発明の更なる一態様によれば、本発明の目的は、電気コネクタ、特に封止用途のための電気コネクタの主ハウジングであって、前記主ハウジングは、電気コネクタの前部ハウジングを少なくとも部分的に受容するように構成され、前記主ハウジングは本発明の先行する態様に従って又はその態様の変形にいずれかに従って前部ハウジングの対応するロック手段を受容するように構成される少なくとも１個のロックゾーンを備える当該主ハウジングによって達成される。
【００２０】
本発明のこの更なる態様に従う電気コネクタの主ハウジングは、特に組み立てられた電気コネクタとベースを接続解除する時に、従来の技術で既知である主ハウジングに比較して、先行する態様に従う前部ハウジングでの保持を向上することが有利である。
【００２１】
封止用途のために設計されるコネクタのための主ハウジングの場合、本発明のこの態様に従うロックゾーンの配置は、周辺シールに対して適切な支持表面を提供することで有利である。従って、本発明のこの態様は、従来の技術で既知である封止用途のための電気コネクタの主ハウジングに比較して有利である。
【００２２】
更に、本発明のこの態様は、従来の技術で既知である主ハウジングのための成形金型の設計が本発明のこの態様に従うロックゾーンの統合を可能とするように僅かに変更されることが必要に過ぎないとすれば、プラスチック技術において容易に実施されることができる。
【００２３】
更に、本発明のこの態様の非制限的変形例によれば、
電気コネクタの主ハウジングは、各々が前記前部ハウジングの各コンタクトソケットに対応する複数の導体ガイドソケットを更に備えることができることが好ましく、その場合、前記少なくとも１個のロックゾーンが前記複数のガイドソケットの内のガイドソケット同士間に配置されることが有利である。この変形例は、特に複数の対応するコンタクトソケットを備える本発明の先行する態様に従う前部ハウジングの変形例との組合せにおいて、従来の技術で既知である主ハウジングに比較して有利である。
前記少なくとも１個のロックゾーンは、本発明の先行する態様の有利な変形例に従う前部ハウジングの前記少なくとも１個のロック係止部でロックを行う少なくとも一つのストップを備えることができることが好ましい。この変形例は、特に、ロック手段がフックタイプ又はＵ形状銛タイプのものである、本発明の先行する態様に従う前部ハウジングの変形例との組み合わせにおいて、先行技術で既知である主ハウジングに比較して有利である。
前記複数のガイドソケットの内のガイドソケットは、特に、本発明の先行する態様の好適な変形例に従う前部ハウジングのコンタクトソケットの列（複数）に対応するガイドソケットの列（複数）に配置されることができることが好ましい。その時、前記少なくとも1個のロックゾーンがガイドソケットの列間に配置されることが有利である。この変形例は、特に、複数のコンタクトソケットが主ハウジングのこの変形例のガイドソケットの列（複数）に対応する列（複数）に配置される、本発明の先行する態様に従う前部ハウジングの変形例との組み合わせにおいて、従来の技術で既知である主ハウジングに対して有利である。
【００２４】
前記少なくとも１個のロックゾーンは、ガイドソケットの列を部分的に分離する窪みを形成することができることが有利である。この変形例は、特にコンタクトソケットの列を分離する窪みを備える本発明の先行する態様に従う前部ハウジングの変形例との組合せにおいて、従来の技術で既知である主ハウジングに比較して有利である。
【００２５】
本発明のこの態様の好適な実施形態において、また、前記主ハウジングは、少なくとも一つの導体を主ハウジングへ案内するように設計される後部ハウジングを部分的に受容するように構成されることができる。この変形例は、多数の導体にとって主ハウジングの対応するガイドソケットに向けてそれらを案内するようになっているので有利である。
【００２６】
本発明のこの態様の有利な実施形態において、前記複数のガイドソケットの内の少なくとも一部は、後部シールの受容ゾーンによって囲まれることができる。この変形例は、有利であり、この変形例によって、封止用途のコネクタをシールするために主ハウジングの少なくとも一つのゾーンが後部シール即ち「グロメット」シールや他のタイプの周辺シールを受容するように構成されることができる。
【００２７】
本発明のこの態様の有利な実施形態では、前記複数のガイドソケットの内の少なくとも一つのガイドソケットは、単一ワイヤシールを備える導体を受容するように設計されるシールチャネルであることができる。また、この変形例は、封止用途のために使用される時に単一ワイヤシールがその封止を行うことを各々が必要とする大径の導体を受容するように設計されるソケットの列にとって有利である。
【００２８】
本発明のこの態様の有利な実施形態において、少なくとも１個のシールチャネルは、他の一つシールチャネルの直径に対して異なる直径でもよい。従って、本発明のこの態様に従う主ハウジングを異なる直径を有する導体を受容するように有利に構成することが可能である。導体及び対応する配線のタイプに従って、前部ハウジングとベースとの間の複数の電気コンタクトを外部環境から隔離する後部シールの使用や外部環境から一度に単一の対応するコンタクトを隔離する単一のワイヤシールを有する導体（複数）の使用にこの変形例を組み合わせることが可能である。
【００２９】
本発明のその上更なる態様によれば、また、本目的は、複数の導体をベースに接続するように設計される電気コネクタであって、前記電気コネクタは、先行する態様の一つ又はその変形例のいずれか一つに従う前部ハウジング、第１の側から後部ハウジングを及び前記第１の側の反対側である第２の側から前記前部ハウジングを部分的に受容するように構成される先行する態様の一つ又はその変形例のいずれか一つに従う主ハウジングを備える当該電気コネクタによって達成される。
【００３０】
従って、先行する態様に従う前部ハウジングと主ハウジングを備える電気コネクタは、それが本発明の先行する態様及びそれらの変形例の利点を組み合わせるので、従来の技術の既知のコネクタに比較して有利である。
【００３１】
本発明のこの態様に従う電気コネクタは、更に、複数の導体を前記電気コネクタ内に案内し且つ前電気コネクタをベースロックするように構成されるカバーや複数の導体をカバーから主ハウジングへ向けて案内するように構成される後部ハウジングや主ハウジングの周辺に配置される少なくとも一つの後部シールを備えることができる。
【００３２】
本発明にその上更なる態様によれば、本目的は、先行する態様の一つ又はその変形例のいずれか一つに従う電気コネクタに接続されるように設計されるベースであって、前記ベースは、特に電気コンタクトの列（複数）に配置される複数の電気コンタクトと、特に電気コンタクトの列間に配置され、前部ハウジング、特に前記電気コンタクトの本発明の一態様の有利な変形例に従う前部ハウジングの対応する窪みに受容されるように構成される少なくとも一つの保護壁を備える当該ベースによって達成される。本発明のこの態様によって、前記少なくとも一つの保護壁は、その長さにわたって、特に電気コンタクトの列にわたって、不連続であってもよく、この保護壁は、前記電気コンタクトの前部ハウジングの対応するロック部材を部分的に受容するのに適する少なくとも１個のスロットを有する。
【００３３】
従来の技術の既知のベースは、一般的に電気コンタクト同士間に保護壁を有し、それらの保護壁は、ベースがユーザによって扱われる時にユーザの指がベースの電気コンタクトを偶発的に曲げることを防止する障壁を生成することによってコンタクトを保護するように設計される。従来の技術の既知のベースに比較して、本発明のこの態様に従うベースによって、コンタクトを保護するための壁の設計がベースに接続されるように設計される電気コネクタの前部ハウジングに関連する本発明の態様に適合されることができることは有利である。特に、本発明のこの態様に従うベースは、少なくとも一つのロック手段が前部ハウジングの窪み（複数）に配置され、そのためにステムが前記窪み内に延出する先行する態様の一つに従う前部ハウジングの変形例との組合せにおいて有利である。
【００３４】
前部ハウジングと主ハウジングに関連する先行する態様の場合のように、本発明のこの態様は、コネクタの又はベースの種々の部品の成形金型の設計が既知の従来の技術に比較して一層複雑にはされてはおらず、むしろ単純化されているので、プラスチック技術に容易に適合可能である利点を有する。
【００３５】
最後に、本発明のその上更なる態様によれば、本目的は、電気コネクタであって、本発明の先行する態様の一つに従う又はその変形例のいずれか一つに従う電気コネクタ、ベースの電気コネクタに接続されるように設計される複数の電気コネクタ、及び本発明の先行する態様に従うベースを備える当該電気コネクタによって達成される。本発明のこの態様によって、先行する態様とそれらの変形例が組み合わされることができる。
【００３６】
従って、本発明は、前部ハウジングと主ハウジングのような電気コネクタの２個の部品間で高い保持力が必要とされる時に有利である。特に本発明は、組み立てられたコネクタと相手ベースを接続解除する時に、本発明は電気コネクタの前部ハウジングがベースに接続されたままであることを防止する一方でコネクタの残余の部分、特に主ハウジングが接続解除されるので、従来の技術の既知の電気コネクタハウジングシステムに比較して有利である。本発明に従うコネクタを接続解除する時に、前部ハウジングと主ハウジングは、互いに強固に接続されたままである一方で前部ハウジング、より一般的にはコネクタがベースから接続解除され、それは、主ハウジングと前部ハウジングの保持力がベースからの接続解除操作中に両者が接続解除されるのを防止するためには十分ではない従来の技術の既知のシステムに比較して利点である。従って、本発明は、限られた空間内に配置されるコネクタや、多数のチャネル、即ち、ベースの相手コンタクトに接続されるべき多数の導体を備える電気コネクタにとって有利である。
【００３７】
本発明は、特に主ハウジングが単一ワイヤシールを有する導体のための後部周辺シールやシールガイド又はシールチャネルを備える封止環境における用途のための自動車用コネクタの分野において有利な用途を有する。
【００３８】
本発明の種々の態様及びそれらの有利な変形例は、有利な実施形態を参照して及び以下の添付図面を参照して本書の残余の部分全体を通して更に詳細に説明される。
【図面の簡単な説明】
【００３９】
【図１Ａ】本発明の一態様に従う電気コネクタの前部ハウジングの実施形態の一例を示す概略斜視図である。
【図１Ｂ】図１Ａに示される前部ハウジングの断面図である。
【図２Ａ】本発明の一態様に従う電気コネクタの主ハウジングの実施形態の一例を示す概略斜視図である。
【図２Ｂ】図２Ａに示される主ハウジングの断面図である。
【図３】図２Ａと図２Ｂに示される実施形態の主ハウジングに取り付けられる図１Ａと図１Ｂに示される実施形態の前部ハウジングを概略的に示す断面図である。
【図４】シールと後部ハウジングを更に備える図３のアセンブリを概略的に示す断面図である。
【図５】本発明の更なる一態様に従う電気コネクタに対するベースの実施形態の一例を概略的に示す。
【図６】図５に示されるベースに接続される図４に示されるアセンブリを備える電気コネクタの実施形態の一例を概略的に示す。
【発明を実施するための形態】
【００４０】
図１Ａは、本発明の一態様に従う電気コネクタの前部ハウジング１００の実施形態の一例を立体図で概略的に示し、図１Ｂは、図１Ａに示される前部ハウジング１００を断面図で示す。
【００４１】
図１Ａと図１Ｂに示されているように、本発明のこの態様に従う電気コネクタの前部ハウジング１００は、４つの壁１０２，１０３，１０４，１０５及び２つの主開口面１０６，１０７を有する実質的に直方体形状の本体１０１を備えることができる。この本体１０１内に、複数のコンタクトソケット１０８，１０９，１１０が配置される。それらのソケットは、電気コンタクト端子を有する、電気ケーブルのような導体を受容するように設計される。前部ハウジング１００の主面の一つ、この場合、主面１０６は、前記電気コネクタの主ハウジング、例えば図２Ａと図２Ｂに示される実施形態の主ハウジング２００に受容されるように構成されることができ、一方、その反対側の主面、この場合、主面１０７は、コンタクトソケット１０８，１０９，１１０に受容される（ここでは単純化のために示されていない）複数の導体とベースの相手電気コンタクトとの間の電気接続を行うために、相手ベース、例えは図５に示されるベース５００に受容されるように構成されることができる。
【００４２】
種々のタイプのコンタクト同士間での電気接触を可能とするために、本発明のこの態様の有利な一変形例によって、コンタクトソケット１０８，１０９，１１０は、特に異なるケーブル直径を有する異なるタイプのコンタクト又は相手ベースへ接続されるべきより一般的な導体へ適合されることができる。図１Ａと図１Ｂに示されるこの実施形態の例は、三つの異なるタイプのコンタクトソケット１０８，１０９，１１０を表しているが、当業者は、本発明のこの態様の他の実施形態では、ユーザの接続性の要請に従って、前部ハウジングが１つのタイプのコンタクトソケット、又は２つのタイプのコンタクトソケットさえも、又は三つの異なるタイプのコンタクトソケットさえもを備えることができることを理解しており、それによって、前部ハウジング１００の幾何学形状及びコンタクトソケット１０８，１０９，１１０の配置がモジュール方式となっている。更に、理解のために、１０８，１０９で参照されるタイプの複数のソケットの幾つかのみに参照番号が与えられているが、図示は、これら参照番号が与えられた２つの夫々のタイプのコンタクトソケットよりも多くのコンタクトソケットを示していることに注目すべきである。同様に、１１０で参照されるタイプの２個のソケットのみが示されているが、当業者は、コンタクトソケット１０８，１０９，１１０の種々のタイプの組合せがモジュール方式となっており、それがユーザの要請に依存していることを理解するであろう。
【００４３】
本発明のこの態様の有利な一実施形態によれば、前部ハウジング１００のコンタクトソケット１０８，１０９，１１０は、ソケットの複数列１１１，１１２，１１３，１１４，１１５に配置されており、それは、有利に電気コンタクトが同等な列（複数）に配置される相手ベースに接続されるように設計される電気コンタクトの配置の編成を可能とし、従って容易にする。前部ハウジング１００のこの実施形態の例では、ソケットの５列１１１，１１２，１１３，１１４，１１５が有るが、これは本発明のこの態様を制限しない。実際に、他の実施形態では、コンタクトソケット１０８，１０９，１１０の一部又は全部が複数の列に配置されないことが可能であり、又は列の数又は各列１１１，１１２，１１３，１１４，１１５のソケット１０８，１０９，１１０の数が図１Ａと図１Ｂに比較して変化してもよい。
【００４４】
このように、図１Ａと図１Ｂに示される例におけるより小さな直径を有するコンタクトソケットである複数のコンタクトソケット１０８は、コンタクトソケットの列１１２，１１３，１１４，１１５を構成するが、複数のコンタクトソケット１０９，１１０は、コンタクトソケットの列１１１を構成する。特に、列１１２，１１３，１１４，１１５の各々は、２０個のコンタクトソケット１０８を備えるが、列１１１は、中間の直径を有する７個のコンタクトソケット１０９を備え、列１１１の各端部当り１個のより大きな直径を有する２個のコンタクトソケット１１０を備える。勿論、当業者は、図１Ａと図１Ｂに示される配置は本発明を制限するものではなく、他の変形例の内の１つの可能な変形例を示しているに過ぎないことを理解している。
【００４５】
図１Ａと図１Ｂは、壁１０２，１０３，１０４，１０５は、各々が各リブ１１６，１１７，１１８，１１９を備えることができることを示している。これらのリブ１１６，１１７，１１８，１１９は、後述されるように、電気コネクタの主ハウジングのシールに対して当接することによる封止用途のための電気コネクタの場合に有利である。
【００４６】
更に、電気コネクタの前部ハウジング１００と主ハウジングとのロックと保持を確保するために、本発明に従う一態様に従って、図１Ａと図１Ｂに示される前部ハウジング１００は、コンタクトソケット１０８，１０９，１１０間に配置される少なくとも１個のロック手段１２０，１２１を備える。図１Ａと図１Ｂに示される実施形態では、前部ハウジング１００は、特に複数のコンタクトソケット１０８，１０９，１１０に相対して主面１０６から突出する４個のロック手段１２０と４個のロック手段１２１を備える。当業者は、特にベースに組み立てられ且つ接続される電気コネクタが前記ベースから接続解除される時に前部ハウジング１００を主ハウジングに強固に接続された状態に維持するために、ロック手段１２０，１２１の数と寸法が、電気コネクタの前部ハウジング１００と対応する主ハウジングとの間で必要とされる保持力の関数としてモジュール式となっていることを理解するであろう。
【００４７】
また、図１Ａと図１Ｂは、本発明の一態様の好適な一変形例によれば、一側から他側へ、特に主面１０６から反対側の主面１０７へ本体１０１を貫通する窪み１２２，１２３がコンタクトソケットの幾つかの列１１１，１１２，１１３，１１４，１１５を分離している。この場合、窪み１２２は列１１１と列１１２を分離し、他方窪み１２３は列１１３と１１４を分離する。主ハウジングやベースが夫々隔壁やコンタクト保護壁を備える場合、これらの壁は、一方では電気コネクタの組み立て中に、他方ではベースへの接続中に、前部ハウジング１００の窪み１２２，１２３に少なくとも部分的に受容されることができる。従って、当業者は、窪み１２２，１２３の配置が主ハウジングと前部ハウジング１００が接続されるベースの設計の関数としてモジュール式となっていることを理解するであろう。従って、本発明の一態様の一変形例によれば、図１Ｂの断面図に特に示されているように、ロック手段１２０，１２１は窪み１２２，１２３に配置される。
【００４８】
本発明の有利な一変形例によれば、図１Ａと図１Ｂの幾つかのロック手段１２１は、ロック係止部１２５を備えるヘッド１２４を備え、更にそのヘッド１２４から延出するステム１２６を備えるフック１２１であることができる。特に図１Ｂの断面図に示される一変形例では、ステム１２６は、窪み１２２，１２３内に延出し、基本的に前部ハウジング１００の本体１０１の一体部分を形成する。
【００４９】
本発明の更なる有利な一変形例によれば、幾つかの他のロック手段１２０，１２１、この場合、図１Ａと図１Ｂのロック手段１２０は、２個のロック係止部１２８，１２９を備えるヘッド１２７を備え、更にそのヘッド１２７から延出する２個のステム１３０，１３１を備える実質的に矢印形状の銛１２０であることができる。一変形例において、特に図１Ｂの断面図に示されるように、ステム１３０，１３１は窪み１２２，１２３内に延出し、従って前部ハウジング１００の本体１０１の一体部分を実質的に形成する。従って、銛１２０は実質的に逆Ｕ又はＶ形状のヘッド１２７を有し、主面１０６に相対して突出する。次に、ステム１３０，１３１は逆Ｕの形状の一般的な態様を提供するヘッド１２７を延出する。
【００５０】
従って、ロック手段１２０，１２１は、本体１０１と一体である部分、即ち、物理的に窪み１２２，１２３の内側にある部分で剛性であるステム１２６，１３０，１３１を有し、一方ステム１２６，１３０，１３１とヘッド１２４，１２７の突出部分は、後述されるように、主ハウジングの相手ロックゾーンと係合するようにフレキシブルである。
【００５１】
図１Ａと図１Ｂに示されるように、幾つかのロック手段１２０，１２１、この場合、銛１２０は、１０８と１０９で参照されるタイプの複数のコンタクトソケットの実質的に中心にあるゾーンに配置される。一方、他のロック手段１２０，１２１、この場合、フック１２１は、実質的に前部ハウジング１００の本体１０１の壁１０２，１０４の一部を形成するように、ソケットの列１１１と列１１２との間並びにソケットの列１１３と列１１４の間の窪み１２２，１２３の縁部に配置されることができる。
【００５２】
図１Ａと図１Ｂに示される実施形態の例のフック１２１と銛１２０の更なる利点は、それらが、特に前部ハウジング１００が多数のコンタクトソケット１０８，１０９，１１０を有する場合、すでに複雑になっている設計を複雑にすることなくプラスチック技術に使用される成形金型に組み込まれることである。更に、フック１２１と銛１２０の組合せ、より一般的には、本発明のこの態様に従うロック手段１２０，１２１の配置は、従来の技術で既知である前部ハウジングのための成形金型に比較して、成形金型の設計を単純化する利点を有する。実際に、本発明のこの態様に従う前部ハウジングをロックするための手段は、追加のスライド型を使用することなく且つ成形中にスライド型間で交差する及び成形中において追加の移動をすることなく二つの主成形方向を基本的に使用することによって全体的に得られることができる。
【００５３】
図２Ａは、本発明の一態様に従う電気コネクタの主ハウジング２００の実施形態の一例を立体図で概略的に示し、図２Ｂは、図２Ａに示される主ハウジング２００を断面図で示す。
【００５４】
図２Ａと図２Ｂに示されるように、本発明のこの態様に従う電気コネクタの主ハウジング２００は、４枚の壁２０２，２０３，２０４，２０５と、２個の主開口面２０６，２０７を備える実質的に直方体形状の本体２０１を備えることができる。その内側に、前記電気コネクタの前部ハウジングの対応するコンタクトソケットに挿入される電気コンタクト端子を備える、電気ケーブルのような導体を案内するように設計される複数のガイドソケット２０８，２０９，２１０が配置される。主ハウジング２００の主面の一つ、この場合、主ハウジング２０６は、前記電気コネクタの後部ハウジングを少なくとも部分的に受容するように構成されることができ、一方、反対側の主面、この場合、主面２０７は、電気コネクタの前部ハウジング、例えば、図１Ａと図１Ｂに示される実施形態の前部ハウジング１００を少なくとも部分的に受容するように構成されることができる。
【００５５】
本発明の一態様の一実施形態の一変形例によれば、ガイドソケット２０８，２０９，２１０は、１つ以上のタイプの導体に適合されることができ、従って、特に異なる直径を有することになる。図２Ａと図２Ｂに示される例において、とりわけ図２Ｂの断面で示されることができるように、３つのタイプのガイドソケット２０８，２０９，２１０が示されている。ただし、図１Ａと図１Ｂに示されるガイドソケット２０８，２０９，２１０の場合のように、明確化のために、幾つかのガイドソケット２０８，２０９，２１０のみが参照符号が与えられている。同様に、更に有利な一変形例によれば、複数のガイドソケット２０８，２０９，２１０は、ガイドソケットの列２１１，２１２，２１３，２１４，２１５に配置されている。
【００５６】
更に、封止用途に有利である本発明の一態様の更なる一変形例によれば、幾つかのガイドソケット２０８，２０９，２１０、この場合、ガイドソケット２０９，２１０は、単一ワイヤシールを備える導体を案内するように構成されるシールチャネル２０９，２１０であることができる。更なる一変形例によれば、シールチャネルが異なる直径を有することが可能である。従って、図２Ｂの断面図で示されるシールチャネル２１０の直径は、複数のガイドソケット２０８の各々に受容される導体の直径よりも大きな直径を有する導体を夫々受容することができるシールチャネル２０９の直径よりも大きい。
【００５７】
本発明のこの態様の有利な一実施形態によれば、主ハウジング２００を備える電気コネクタが封止用途のために設計される場合、主ハウジング２００は、シールを受容するように設計される複数のゾーンを備えることができる。このように、図２Ｂに示される断面に見られるように、主ハウジング２００は、後部シール受容ゾーン２１６や周辺シール受容ゾーン２１７を備えることができる。従って、後部シール受容ゾーン２１６は、シール用途の内で複数のコンタクトソケット２０８を隔離するように設計される後部シールを受容するために使用されることができる。図２Ｂにも見られることができるように、主ハウジング２００は、主面２０６の側に後部ハウジング受容ゾーン２１８を備えることができる。
【００５８】
本発明の一態様に従って、図２Ｂの断面図に見られるように、主ハウジング２００は、ガイドソケット２０８，２０９，２１０間に配置される少なくとも１個のロックゾーン２１９，２１０、特に主ハウジング２００に取り付けられるべき前部ハウジングにあるロック手段と同じ多くの数のロックゾーン２１９，２２０を備えることができる。従って、図２Ｂに示される主ハウジング２００が図１Ａと図１Ｂに示される前部ハウジング１００に組み立てられると、ロックゾーン２１９は、前部ハウジング１００のフック１２１を受容するように構成され、またロックゾーン２２０は、前部ハウジング１００の銛１２０を受容するように構成される。一実施形態の一態様によれば、ロックゾーン２１９，２１０は、主ハウジング２００の本体２０１を適切に通過する窪み２１９，２１０を形成するが、それらの長さに亘って夫々の列２１１と列２１２とを、並びに列２１３と列２１４とを部分的に分離するに過ぎない。
【００５９】
一実施形態の一変形例によれば、ロックゾーン２１９，２２０の各々は、前部ハウジングのロック手段をロックするための少なくとも一つのストップを備える。主ハウジング２００が前部ハウジング１００を受容するように構成される場合、これは、特に図３に示されるように、前部ハウジング１００が主ハウジング２００に組み立てられる時に、ロックゾーン２１９の各々がフック１２１のロック係止部１２５をロックするためのストップ２２１を備え、一方ロックゾーン２２０の各々が銛１２０のロック係止部１２８，１２９を阻止するための２個のストップ２２２，２２３を備えるので有利である。従って、前部ハウジング１００と主ハウジング２００を備える電気コネクタが組み立てられると、前部ハウジング１００と主ハウジング２００との間の保持力は、コネクタの相手ベースへ接続のためやコネクタの相手ベースから接続解除のための操作中に主ハウジング２００への前部ハウジング１００の強固な接続を維持するのに十分である。
【００６０】
更に、この態様の一実施形態の一変形例によれば、主ハウジング２００は、前部ハウジング１００を受容する主面２０７に、ベースの電気コンタクトを保護するための壁を受容するように構成される受容ゾーン２２４である複数の窪み２２４を備えることができる。幾つかの窪み２２４が図２Ｂに示されているが、当業者は、本発明のこの態様に従う主ハウジングの一実施形態のこの変形例において、図２Ｂには示されていない３個の保護壁受容ゾーン２２４がロックゾーン２１９，２２０と交互に列２１１と列２１２との間に配置され、図２Ｂには示されている３個の保護壁受容ゾーン２２４が、列２１３と列２１４との間に配置されていることを理解するであろう。
【００６１】
当業者は、図１Ａと図１Ｂに示される前部ハウジング１００を参照して先に記述されたモジュラビリティ（modulability）基準が、特にガイドソケット２０８，２０９，２１０の配置、タイプ及び数量、又は更にロックゾーン２１９，２２０の数量と寸法に関して、行われるべき電気接続の数とタイプの関数として主ハウジング２００へ適用されることもできることを理解するであろう。
【００６２】
図３は、図２Ａと図２Ｂに示される実施形態の主ハウジング２００に取り付けられる図１Ａと図１Ｂに示される実施形態の前部ハウジング１００のアセンブリを備える電気コネクタ３００の一部を概略的に示す断面図である。ただし、シールや導体や後部ハウジングやカバーは、明確化のために図３には示されなかった。
【００６３】
従って、図３に示される電気コネクタ３００の実施形態の例では、前部ハウジング１００の複数のコンタクトソケット１０８，１０９，１１０及び複数のガイドソケット２０８，２０９，２１０は相補的に配置される。従って、ガイドソケットの列２１１，２１２，２１３，２１４，２１５は、夫々コンタクトソケットの列１１１，１１２，１１３，１１４，１１５に夫々対応する。換言すれば、複数のガイドソケット２０８は、複数のコンタクトソケット１０８に対応し、複数のシールチャネル２０９は、コンタクトソケット１０９に対応し、且つシールチャネル２１０は、コンタクトソケット１１０に対応する。
【００６４】
図３に示されるように、主ハウジング２００が前部ハウジング１００に組み立てられると、フック１２１の各々は、対応するロックゾーン２００に係合する。この実施形態では、図１Ａと図１Ｂに示されるように、４個のフック１２１が対応するロックゾーン２２０に係合する。同様に、４個の銛１２０が主ハウジング２００の夫々のロックゾーン２１９に係合する。従って、組み立て中に、フック１２１のヘッド１２４と銛１２０のヘッド１２７、並びに夫々のステム１２６，１３０，１３１の露出部は、主ハウジング２００のロックゾーン２１９，２２０と係合するように偏向された。
【００６５】
従って、組み立てが一旦完了すると、図３に示されるように、ロック手段１２１と１２０のロック係止部１２５，１２８，１２９は、夫々主ハウジング２００中の対応するロックゾーン２１９，２２０の夫々の表面２２１，２２２，２２３に当接し、それによって、前部ハウジング１００の主ハウジング２００との保持が保証される。特に、前部ハウジング１００と主ハウジング２００を備える電気コネクタ３００が組み立てられると、前部ハウジング１００と主ハウジング２００との間の保持力は、コネクタ３００の相手ベースへの接続又はコネクタ３００の相手ベースからの接続解除中に主ハウジング２００への前部ハウジング１００の強固な接続を維持するに十分である。
【００６６】
図４は、図３に示されるように、前部ハウジング１００の主ハウジング２００とのアセンブリを備え、更にシール、特に後部シール即ち「グロメット」３０１と周辺シール３０２、後部ハウジング４００並びに第２のロックデバイス３０３を備える電気コネクタ３００を概略的に示す断面図である。
【００６７】
図４に示されるように、主ハウジング２００は、前部ハウジング１００に組み付けられる主面２０７とは反対側の主面２０６に後部ハウジング４００を受容できる。後部ハウジング４００は、本体４０１を備えることができる。この本体内に複数のガイドソケット４０２，４０３，４０４が配置され、それらのソケットは、主ハウジング２００の対応するソケット２０８，２０９，２１０に向かって導体を案内するように設計される。従って、図４に示される実施形態の例において、前部ハウジングは、ガイドソケット２０８に対応する複数のガイドソケット４０２、シールチャネル２０９に対応する複数のガイドソケット４０３、並びに４０３で参照されるタイプのソケットの列の各側に配置され、主ハウジング２００のシールチャネル２１０の対応する２個のガイドソケット４０４を備える。従って、ソケット４０２，４０３，４０４は、基本的に、主ハウジング２００のソケット２０８，２０９，２１０と同じように且つ前部ハウジング１００のコンタクトソケット１０８，１０９，１１０と同じように配置されることができるので有利である。
【００６８】
後部シール３０１は、主ハウジング２００と後部ハウジング４００との間にシールを提供できる。この目的のために、図４に示されるように、従って、その後部シール３０１は、ガイドソケット２０８を備えるブロックを隔離するように主ハウジング２００の後部シール受容ゾーン２１６に配置されることができ、特に、コネクタ３００が封止用途のために使用される時に、前部ハウジング１００のコンタクトソケット１０８のためのシールを提供できる。
【００６９】
図４にも示されるように、一方、周辺シール３０２は、主ハウジング２００の周辺シール受容ゾーン２１７に配置されることができ、それが前部ハウジング１００の壁１０２，１０３，１０４，１０５の周辺リブ１１６，１１７，１１８，１１９と当接し、更に前部ハウジング１００のコンタクトソケット１０８，１０９，１１０を隔離し、それが封止用途にとって有利である。
【００７０】
自動車分野における用途のための電気コネクタ３００において、図４に簡潔に示されるように、第２のロックデバイス３０３の使用は、導体の端子が前部ハウジング１００のコンタクトソケット１０８，１０９，１１０に適切にロックされることを確実にするために好ましい。このようなデバイス３０３は、従来の技術で既知であり、本発明の一部を形成しない。
【００７１】
図５は、本発明の更なる一態様に従う電気コネクタ３００のためのベース５００の実施形態の一例を概略的に示す。そのようなベース５００は、図１Ａと図１Ｂに示される実施形態の前部ハウジングのような前部ハウジング１００や図２Ａと図２Ｂに示される実施形態の主ハウジングのような主ハウジング２００や図３と図４に示される電気コネクタのような電気コネクタ３００と共に使用されることができる。
【００７２】
本発明の一態様の実施形態の変形例によれば、図５に示されるベース５００は、４枚の壁５０２，５０３，５０４，５０５を有し、面５１５で開口し且つ開口面５１５の反対側の底部５１６で閉鎖される実質的に直方体５０１を備えることができる。ベース５００は、ベース５００の底部５１６から突出するように配置される複数の電気コンタクトピン５０６，５０７，５０８を備えることができる。従って、ベースの開口面５１５で、ベース５００は、コネクタ３００の複数の導体をコンタクトピン５０６，５０７，５０８に電気的に接続するために前部ハウジング１００や主ハウジング２００や一般的にはコネクタ３００を受容できる。
【００７３】
この実施形態では、ベース５００は、先行する実施形態の前部ハウジング１００や主ハウジング２００やコネクタ３００と共に使用されることができる。従って、コンタクトピン５０６，５０７，５０８は、平行な列５０９，５１０，５１１，５１２，５１３に配置され、それによって、複数のコンタクトピン５０６，５０７，５０８が夫々前部ハウジング１００のコンタクトソケット１０８，１０９，１１０に収容される導体の端子のための嵌合相手である。しかしながら、当業者は、コンタクトピン５０６，５０７，５０８の幾何学形状並びにベース５００内のそれらの数量と配置がユーザの要請に依存することができ、従って、添付図面に対して変化でき、同じことは、コンタクトソケット１０８，１０９，１１０及びガイドソケット２０８，２０９，２１０、並びに後部ハウジング４００の対応するソケットの寸法、数量及び配置に対しても当てはまることを理解するであろう。
【００７４】
本発明の一態様に従って、ベース５００は、更にコンタクトピン５０６，５０７，５０８を保護するための少なくとも１枚の壁５１４を備え、その壁５１４は、前部ハウジング１００の対応する窪み１２２，１２３や主ハウジング２００の保護壁受容ゾーン２２４に受容されるように構成される。そのような保護壁５１４は、ベース５００を扱うユーザの指が偶発的に電気コンタクトピン５０６，５０７，５０８を曲げることを防止し好都合である。本発明の一態様に従って、この少なくとも一枚の保護壁５１４は、図６のアセンブリ７００により明瞭に示されているように、前部ハウジング１００の前記少なくとも１個のロック手段１２０，１２１が収容されることができるように、ベース５００の長さ、即ちコンタクトピンの列５０９，５１０，５１１，５１２，５１３に亘って不連続になっている。
【００７５】
図５に示される実施形態の例において、従って、ベース５００は、前部ハウジング１００の窪み１２２，１２３と係合し一方で図６に示されるように銛１２０とフック１２１の各通路のために必要な空間、即ちスロット５１７，５１８を残すように配置される６枚の壁５１４を備える。図６に示されるように、また、保護壁５１４は、主ハウジング２００の受容ゾーン２２４と係合するように構成される。
【００７６】
図６は、図５に示されるベース５００に接続される図４に示されるアセンブリを備える電気コネクタ３００のアセンブリ７００の一実施形態の一例を概略的に示す。
【００７７】
前述の特徴に加えて、アセンブリ７００の電気コネクタ３００は、カバー６００を備える。このカバー６００の主部６０１は、主ハウジング２００の主面２０６に収容され、従って後部ハウジング４００を覆い、次に、主部６０１によって、複数の導体３０４，３０５，３０６がカバー６００の主部６０１の内側から主ハウジング２００の対応するガイドソケット２０８，２０９，２１０に向かって案内されることができる。また、コネクタ３００のカバー６００は、図６の閉鎖位置に示され且つベース５００へのコネクタ３００のロックと係合するように設計されるロックレバー６０２を備えることができる。電気コネクタ３００がベース５００に接続され且つロックレバー６０２がアセンブリ７００をロックすると、ベース５００の壁５０２，５０３，５０４，５０５と前部ハウジング１００の壁１０２，１０３，１０４，１０５、特にリブ１１６，１１７，１１８，１１９は、周辺シール３０２に当接し、従って、図４を参照して提供された記述に加えて、コネクタ３００の外側に対してコンタクトソケット１０８，１０９，１１０に収容されるピン５０６，５０７，５０８と導体３０４，３０５，３０６との間の電気コンタクトのためのシールを提供する。
【００７８】
図６に示される本発明の一実施形態の有利な一態様に従って、種々のタイプの導体３０４，３０５，３０６、特に異なる直径、特にコンタクトソケット１０８，１０９，１１０及び先に記述されたガイドソケット２０８，２０９，２１０が設計される直径を有する導体３０４，３０５，３０６をベース５００へ接続することが可能である。従って、導体３０４は、後部ハウジング４００、次に主ハウジング２００のガイドソケット２０８を介して前部ハウジング１００のコンタクトソケット１０８に接続され、従って、ベース５００のピン５０６に電気的に接続される。同様に、導体３０５，３０６は、後部ハウジング４００、次に主ハウジング２００のシールチャネル２０９，２１０を介して前部ハウジング１００の対応するコンタクトソケット１０９，１１０へ接続される異なる直径を有する単一ワイヤシールを有するケーブルであることができ、従って、図６に示されるアセンブリ７００のベース５００のピン５０７，５０８に電気的に接続されることができる。
【００７９】
また、図５と図６は、複数のベース５００が同じ支持体上に直列に配置されることができることを示している。従って、自動車の限られたゾーンに、複数のベース５００を直列に配置できるのみならず交互にマトリックス状に配置でき、且つそれらのベース５００を複数のコネクタ３００に接続して本発明の種々の態様の先に記述された利点を有する複数のアセンブリ７００を形成することができる。
【００８０】
従って、本発明の先に述べた種々の態様を組み合わせることが有利であることは、当業者には明白であろう。
【００８１】
更に、本発明の種々の態様によって、ロック手段１２０，１２１の種々のタイプの使用及び数量とサイズを前部ハウジング１００と主ハウジング２００との間の保持力に従って適合されることが可能となる。従って、コネクタ３００が備える導体３０４，３０５，３０６、即ち、ベース５００の対応するコンタクト５０６，５０７，５０８に接続されるべき導体３０４，３０５，３０６が多くなれば多くなるほど、コネクタ３００とベース５００を接続解除するための操作中に、前部ハウジング１００を主ハウジング２００で保持するための必要性がより大きくなる。従って、本発明によって、コネクタ３００のこれら２個の部材１００，２００の間の保持を増すために、主ハウジング２００の対応するロックゾーン２１９，２２０と同様に、前部ハウジング１００のフック１２１と銛１２０の数と寸法が適合されることができ有利であり、それは、従来の技術の既知のコネクタに比較して利点である。従って、本発明は、従来の技術の既知のハウジングに比較して前部ハウジング１００と主ハウジング２００の間での接続解除を防止でき、主ハウジング２００に配置される周辺シール３０２の支持表面を保つことができ、それは、従来の技術で既知である封止用途のためのコネクタシステムに比較して利点である。
【００８２】
先に記述されたように、ロック手段１２０，１２１の配置によって、特に多数の導体３０４，３０５，３０６を有する電気コネクタのための設計の複雑化を増加することなくプラスチック技術で使用される成形金型への本発明の保持手段１２０，１２１の単純化された一体が可能とされるので、その配置は、従来の技術の既知の前部ハウジングに比較して有利である。特に、先に記述されたフック１２１と銛１２０は、従来の技術の既知の保持システムに比較して、追加のスライド型を使用することなく且つ成形中にスライド型間で交差する及び成形中において追加の移動をすることなく、プラスチック技術の二つの主成形方向を基本的に使用して全体的に得られることの利点を有する。
【００８３】
本発明の態様の他の実施形態において、主ハウジングと前部ハウジングとの間のロックシステムの部材の配置を逆転することが可能である。このように、周辺シール３０２に対して適切な支持表面を提供するためにロック手段とロックゾーンがコンタクトソケット１０８，１０９，１１０とガイドソケット２０８，２０９，２１０との間に常に配置される限り、前部ハウジング１００上の代わりに主ハウジング２００上にフック１２１と銛１２０を配置すること及び主ハウジング２００上の代わりに前部ハウジング１００上に対応するロックゾーン２１９，２２０を配置することが可能である。
【００８４】
先に記述したように主ハウジング２００の実施形態の例において、ロックゾーン２１９，２２０の配置によって、特に前部ハウジング１００のロック手段１２０，１２１との組み合わせにおいて、良好な支持表面が主ハウジング２００上に配置される周辺シール３０２に対して提供されることができる。更に、ロックゾーン２１９，２２０は、また主ハウジング２００のための成形金型の設計を更に複雑化することなくプラスチック技術において簡単に実施されることができる。
【００８５】
種々の態様により、従って、前述された前部ハウジング１００と主ハウジング２００のような電気コネクタ３００の２個の部品１００，２００との間で高い保持力が必要とされる場合に、本発明は有利である。特に、本発明は、組み立てられたコネクタ３００とベース５００を接続解除する時に、本発明がベース５００に電気コネクタ３００の前部ハウジング１００がロックされたままであることを防止し、コネクタ３００の残余の部分、特に主ハウジング２００がベース５００から接続解除されるので有利である。コネクタ３００とベース５００を接続解除する時に、従って、前部ハウジング１００と主ハウジング２００は、互いに強固に接続されたままである一方で、前部ハウジング１００、より一般的には、コネクタ３００がベース５００から接続解除され、それは、主ハウジングと前部ハウジングとの間の保持力がベースからの接続解除操作中に主ハウジングと前部ハウジングが接続解除されるのを防止するのに十分ではない従来の技術の既知のシステムに比較して利点である。
【００８６】
従って、本発明は、限られた空間内に配置される電気コネクタや多数のチャネル、即ち、ベースの相手コンタクトへ接続されるべき多数の導体を備えるコネクタのために有利である。本発明は、特に主ハウジングが後部シールや周辺シールを備える封止環境における用途のための自動車用コネクタの分野に特に適合される。
【符号の説明】
【００８７】
１００ 前部ハウジング 
１０１ 前部ハウジング本体 
１０２ 壁   
１０３ 壁   
１０４ 壁   
１０５ 壁   
１０６ 主面   
１０７ 主面   
１０８ コンタクトソケット 
１０９ コンタクトソケット 
１１０ コンタクトソケット 
１１１ ソケットの列  
１１２ ソケットの列  
１１３ ソケットの列  
１１４ ソケットの列  
１１５ ソケットの列  
１１６ リブ   
１１７ リブ   
１１８ リブ   
１１９ リブ
１２０ ロック手段
１２１ ロック手段
１２２ 窪み
１２３ 窪み
１２４ ヘッド
１２５ ロック係止部
１２６ ステム
１２７ ヘッド
１２８ ロック係止部
１２９ ロック係止部
１３０ ステム
１３１ ステム
２００ 主ハウジング
２０１ 主ハウジングの本体
２０２ 壁
２０３ 壁
２０４ 壁
２０５ 壁
２０６ 主面
２０７ 主面
２０８ ガイドソケット
２０９ シールチャネル
２１０ シールチャネル
２１１ ソケットの列
２１２ ソケットの列
２１３ ソケットの列
２１４ ソケットの列
２１５ ソケットの列
２１６ 後部シール受容ゾーン
２１７ 周辺シール受容ゾーン
２１８ 後部ハウジング受容ゾーン
２１９ ロックゾーン
２２０ ロックゾーン
２２１ ストップ
２２２ ストップ
２２３ ストップ
２２４ 壁受容ゾーン
３００ アセンブリ
３０１ 後部シール即ち「グロメット」
３０２ 周辺シール
３０３ 第２のロック
３０４ 導体
３０５ 単一ワイヤシールを備える導体
３０６ 単一ワイヤシールを備える導体
４００ 後部ハウジング
４０１ 後部ハウジングの本体
４０３ ガイドソケット
４０４ ガイドソケット
５００ ベース
５０１ ベースの本体
５０２ 壁
５０３ 壁
５０４ 壁
５０５ 壁
５０６ 電気コンタクトピン
５０７ 電気コンタクトピン
５０８ 電気コンタクトピン
５０９ コンタクトの列
５１０ コンタクトの列
５１１ コンタクトの列
５１２ コンタクトの列
５１３ コンタクトの列
５１４ 保護壁
５１５ 開口面
５１６ ベースの底部
５１７ スロット
５１８ スロット
６００ カバー
６０１ カバーの主部
６０２ ロックレバー
７００ アセンブリ
【図１Ａ】
2015028936.tif 000003
【図１Ｂ】
2015028936.tif 000004
【図２Ａ】
2015028936.tif 000005
【図２Ｂ】
2015028936.tif 000006
【図３】
2015028936.tif 000007
【図４】
2015028936.tif 000008
【図５】
2015028936.tif 000009
【図６】
2015028936.tif 000010
【外国語明細書】
2015028936000001.pdf
2015028936000002.pdf
2015028936000003.pdf
2015028936000004.pdf